(57)【特許請求の範囲】
【請求項１】
化繊紙の表面に所定間隔で所定直径の凹部を設けたシート台紙上に所定厚・所定大きさの金箔を載置し、周囲を人間の顔面サイズで、かつ、内部に前記人間の顔面サイズに対応した顔面の目・口位置に打ち抜き穴及び顔面の鼻位置に鼻形状の切り込みを打ち抜き形成してなることを特徴とする金箔フェイスパックマスク。
【請求項２】
化繊紙の表面に裏面に貫通する所定間隔で所定直径の円形穴を設けたシート台紙上に所定厚・所定大きさの金箔を載置し、周囲を人間の顔面サイズで、かつ、内部に前記人間の顔面サイズに対応した顔面の目・口位置に打ち抜き穴及び顔面の鼻位置に鼻形状の切り込みを打ち抜き形成してなることを特徴とする金箔フェイスパックマスク。
【請求項３】
前記シート台紙表面に設けた凹部は、化繊紙の表面に所定間隔で設けた方形凹部、三角形凹部又は楕円形凹部であることを特徴とする請求項１に記載の金箔フェイスパックマスク。
【請求項４】
前記円形穴は、シート台紙の両面で等しい口径の直穴形状、金箔に近づくに従ってその直径が大きくなる円錐台形状、金箔に近づくに従ってその直径が段階的に大きくなる同心円筒状のいずれかの穴形状であることを特徴とする請求項２に記載の金箔フェイスパックマスク。
【請求項５】
周囲を顔面サイズに打ち抜き形成された金箔を、前記金箔との間で離脱性が良く、顔面に対して安全性の高いラミネート化繊紙からなるシート台紙の上に配置してなることを特徴とする請求項１ないし４のいずれかに記載の金箔フェイスパックマスク。
【請求項６】
前記シート台紙は、厚さ０．０４８〜０．０５０ｍｍ程度の片面に１５μｍ厚さのポリエチレンによるラミネート加工が施されたラミネート化繊紙であり、当該ラミネート加工が施された側の面に前記金箔が配置されてなることを特徴とする請求項１ないし５のいずれかに記載の金箔フェイスパックマスク。

【発明の詳細な説明】
【技術分野】
【０００１】
本発明は、コスメティック用品としての金箔フェイスパックマスクに関する。
【背景技術】
【０００２】
従来、コスメティック用品としてのフェイスパックマスクは様々なものがあり、純金からなる金箔をフェイスパックマスクと使用するものとしては、例えば、実用新案登録第３１３９１４０号公報（特許文献１）に開示のものが知られている。
同公報に開示のものは、考案の名称「金箔を吸着した顔用シート」に係り、従来の実開０４−３３６２８号公報等に開示のものが、「金箔を利用した装着用金箔の積層体は金箔の定型と言われている三寸六分角をさらに分割した大きさのため、使用者にとって、何度も転移作業を行わなくてはならないという問題点（同公報明細書段落番号０００５参照）」に鑑み、「一度の作業で顔全体に金箔を転移させる顔用シートの提供（同公報明細書段落番号０００６参照）」を目的として、「純金を、顔面を覆うことができる程度の大きさの箔に成形した後、台紙に弱粘性の接着料を塗布し金箔を吸着させ、目部相当位置と鼻部相当位置に孔を開けたり、周縁部の適所に切込みを入れたマスク状に形成（同公報実用新案登録請求の範囲参照）」することにより、「一度の作業で顔全体に金箔が転移するという効果（同公報明細書段落番号０００８参照）」を奏するものである。【０００３】
しかしながら、上記特許文献１に開示の「金箔を吸着した顔用シート」は、その必須の構成要素として「台紙に弱粘性の接着料を塗布し金箔を吸着させ」たものであること等からして、実際上は、台紙から金箔が離れにくく、一度の作業で顔全体に金箔を転移させることに難があった。殊に、目部、口部や顔面フィット切り込み等が施される金箔を台紙から引き離し、顔面に移す際には、金箔が離れにくいと、金箔が破れたり、皺が生じたりして扱いにくいという問題点があった。【０００４】
また、箔を転写するものとしては、実開平４−４５７９９号（実願平２−８８２３４）公報に開示のものが知られている。同公報に開示のものは、考案名称「転写箔」に係り、「・・・硬化剤が剥離強度に変化をもたらしたり、硬化バラツキの発生、作業性低下・・」等の従来技術の欠点を解決した転写箔を提供すること」を目的として（同公報明細書４頁１行ないし６行参照）、「転写層を上記切断線に沿ったスリット状の転写層非形成部を介して不連続状に形成したこと」の構成により（同実用新案登録請求の範囲（１）参照）、「切断時に転写層の箔こぼれが生じる虞れがなく、・・転写箔に変形をきたす虞れがないとともに、ウレタン系インキによるストライプ印刷を設けることによる剥離層の剥離強度変化、製品バラツキ等が防止され、・・更にストライプ印刷のための印刷ユニットを別に設ける必要がなく、また転写箔製造時の工程数の削減にも貢献できる」等の効果を奏するものである（同公報明細書１４頁６行〜１５頁２行）。【０００５】
しかしながら、これら実開平４−４５７９９号（実願平２−８８２３４）公報に開示のものであっても、実際上は、金箔が台紙から剥がれにくく、顔に転移させる際に、金箔が破れたり、皺が生じる等の問題がなお存在した。
そこで、本願発明者は、さらに鋭意研究と工夫を続け、金箔と台紙の形状ないしは構造にさらに着目して、台紙に金箔が載置されている際には、安定して動くことがない反面、転移する際には、容易に台紙から金箔が剥がれやすくした金箔フェイスパックマスクを開発するに至った。
【特許文献１】実用新案登録第３１３９１４０号公報
【特許文献２】実開平４−４５７９９号（実願平２−８８２３４）公報
【発明の開示】
【発明が解決しようとする課題】
【０００６】
そこで、本願発明者は、種々検討を重ねるうちに、台紙に弱粘性の接着料を塗布して、台紙にいわば「弱粘着層」等を設けることを必要とせず、むしろ、台紙からの金箔の離脱性が良好で、その結果、顔に金箔マスクを載せやすく、さらには、良好に台紙から剥がれて、金箔に皺等を引き起こすことなく顔に載せられることができる金箔フェイスパックマスクを提供することを目的とする。
さらに、本願発明者は、台紙に金箔が載置されている際には、安定して動くことがない反面、転移する際には、容易に台紙から金箔が剥がれやすくした金箔フエイスパックマスクを提供することを目的とする。
【課題を解決するための手段】
【０００７】
本発明の金箔フェイスパックマスクは、化繊紙の表面に所定間隔で所定直径の凹部を設けたシート台紙上に所定厚・所定大きさの金箔を載置し、周囲を人間の顔面サイズで、かつ、内部に前記人間の顔面サイズに対応した顔面の目・口位置に打ち抜き穴及び顔面の鼻位置に鼻形状の切り込みを打ち抜き形成してなることを特徴とする。
また、化繊紙の表面に裏面に貫通する所定間隔で所定直径の円形穴を設けたシート台紙上に所定厚・所定大きさの金箔を載置し、周囲を人間の顔面サイズで、かつ、内部に前記人間の顔面サイズに対応した顔面の目・口位置に打ち抜き穴及び顔面の鼻位置に鼻形状の切り込みを打ち抜き形成してなることを特徴とする。
また、前記シート台紙表面に設けた凹部は、化繊紙の表面に所定間隔で設けた方形凹部、三角形凹部又は楕円形凹部であることを特徴とする。
また、前記円形穴は、シート台紙の両面で等しい口径の直穴形状、金箔に近づくに従ってその直径が大きくなる円錐台形状、金箔に近づくに従ってその直径が段階的に大きくなる同心円筒状のいずれかの穴形状であることを特徴とする。
また、周囲を顔面サイズに打ち抜き形成された金箔を、前記金箔との間で離脱性が良く、顔面に対して安全性の高いラミネート化繊紙からなるシート台紙の上に配置してなることを特徴とする。
また、前記シート台紙は、厚さ０．０４８〜０．０５０ｍｍ程度の片面に１５μｍ厚さのポリエチレンによるラミネート加工が施されたラミネート化繊紙であり、当該ラミネート加工が施された側の面に前記金箔が配置されてなることを特徴とする。

【発明の効果】
【０００８】
本発明に係る金箔フェイスパックマスクは、台紙からの離脱性が良好で、その結果、顔に金箔マスクを載せやすく、さらには、良好に台紙から外れる際にも、皺等を引き起こすことなくフィッテング良好状態のまま顔に載せることができる。
その結果、パッキングをしたまま金箔の上からマッサージ等ができるという特有の効果を奏する。
殊に、化繊紙の表面に所定間隔で所定直径の円形凹部を設けたシート台紙上に所定厚・所定大きさの金箔を載置してなる金箔フェイスパックマスクでは、片面に穴があいていることによって、はがしやすいということは勿論、長期保存しても使用したい時には安定的に綺麗に剥がれる、また、通気構造を設計したことにより、フェイスマスクを貼った状態でドライヤーや蒸しタオルによる温風熱やスチーム熱が伝熱性に優れる金箔に程よく伝わり、毛穴をより広げて発汗作用を促し、お肌の老廃物が出やすく、また美容液や化粧水の有効成分も入りやすくなり、その発汗作用による引き締め、及び小顔効果もある。
【図面の簡単な説明】
【０００９】
【図１】図１は、本実施例１に係る金箔フェイスパックマスクの概略を示す図であり、図１（Ａ）は、平面概略図、同図１（Ｂ）は、同概略断面図である。
【図２】図２は、本実施例１に係る金箔フェイスパックマスク１の使用の概略を示す図である。
【図３】図３は、本実施例１に係る金箔フェイスパックマスク１が人の顔面に吸着された状態を示す図である。
【図４】図４は、前記シート台紙３を顔面から剥がす状態を示す図である。
【図５】図５（Ａ）は、本実施例６に使用するシート台紙１３上に形成される前記凹部１０の配置状況の概略を示す図であり、同図５（Ｂ）は、前記シート台紙１３に一つの凹部１０が形成されている状態を示す概略図である。
【図６】図６は、本実施例６に係る金箔フェイスパックマスク１１の概略を示す図である。
【図７】図７は、本実施例７に係る金箔フェイスパックマスク２１に使用するシート台紙２３の概略を示す図である。
【図８】図８（Ａ）（Ｂ）（Ｃ）は、本実施例７に係る金箔フェイスパックマスク２１に使用するシート台紙２３の全面に明けられたパンチ穴２３の断面形状の変形例を示す図である。
【図９】、図９は、本実施例７に係る金箔フェイスパックマスク２１に使用されるシート台紙２３（パンチ穴２０は図９では省略）に方形の厚さ０．１〜０．２μｍの金箔２を載置し、当該シート台紙２３と共に所定の人の顔型に打ち抜いた状態を示す図である。
【図１０】図１０は、顔に載置された金箔２及びシート台紙１３の全面に開口した凹部１０に対し、ドライヤー１４等を用いて空気を送り、シート台紙１３を金箔２から剥がしやすくする状態を示す図である。
【符号の説明】
【００１０】
１、１１、２１  金箔フェイスパックマスク
２、１２、２２  金箔
３、１３、２３  シート台紙
４  鼻切り込み部
５  フィッティング切り込み
６  目くり抜き部
７  口くり抜き部
８  引き剥がし部
１０  凹部
２０  パンチ穴
１４  ドライヤー
【発明を実施するための最良の形態】
【００１１】
本発明を実施するための最良の形態である金箔フェイスパックマスクの実施例１を図面に基づいて詳細に説明する。【００１２】
（実施例１）
図１は、本実施例１に係る金箔フェイスパックマスク１の概略を示す図であり、図１（Ａ）は、平面概略図、同図１（Ｂ）は、同概略断面図である。図１において、符号２は、通常１度に５０枚程度打ち抜きされ厚さおよそ０．１〜０．２μｍ程度の顔型に打ち抜きされた金箔であり、３は、シート台紙である。また、図１において、符号４は、前記金箔２に設けられた鼻切り込み部であり、５は、フィッティング切り込み、６は、目くり抜き部、７は、口くり抜き部、８は、引き剥がし部であり、人間の顔面の目・鼻・口等の配置位置にしたがってこれらの位置を決めてトムソン刃等を使用して打ち抜き機（図示外）で打ち抜きカッティングされる。【００１３】
本実施例１に係る金箔フェイスパックマスクに使用する金箔２は、箔直径１８ｃｍ以上（具体的には、７寸×７寸（およそ２１ｃｍ×２１ｃｍ））に打ち抜きカッティングする。すなわち、このカッティングには、予め人間の顔面の目・鼻・口等の配置位置に従ってカッティング位置が位置決めされる前記トムソン刃打ち抜き機（図示外）に金箔２を張った紙をセットして、打ち抜きカッティングをするので、人の顔面の目・口・鼻等の対応する位置にそれぞれ前記鼻切り込み部４，フィッティング切り込み５、目くり抜き部６、口くり抜き部７を同時に打ち抜きカッティングされる。【００１４】
また、本実施例１に係る金箔フェイスパックマスクは、前記シート台紙３において、顔面の前髪の生えぎわ部分には、前記金箔２が当たらないように配置され、さらに、顔面の鼻に該当する部分は、適宜の幅の筋切り込みによる前記鼻切り込み部４が入れられる。また、顔面周囲には、適宜の数、適宜の長さの切り込みからなる前記フィッティング切り込み５、５、・・が入れられ、顔面に載せられた金箔２が顔面に密着するように構成される。なお、顔面の目、口の位置には、シート台紙３と金箔２とが同時に抜き打ちされ、その打ち抜き部分が、前記目くり抜き部６、口くり抜き部７として形成される。【００１５】
また、本実施例１に係る金箔フェイスパックマスク１に使用するシート台紙３は、通常金箔の移送に用いられる「あかうつし用紙」と称する紙を用いずに、金箔２との間で滑りが良く、顔面にも接触する可能性も高いことから、食品分野等で使用されているケースもある安全性の高い、さらには、型抜きをしたとしても型抜きしやすい、金箔等の金属箔の移送に非常にマッチした特殊紙を使用した。具体的には、レーヨン（５０％）：パルプ（５０％）の混合化繊紙の片面に１５μｍ厚さのポリエチレンラミネート加工を施したもので、その厚さを０．０４８〜０．０５０ｍｍのものを適宜のサイズに勇断し、ラミネート加工面に前記金箔２を仮貼りしたものである。このような厚さ１５μｍのラミネート紙（富士特殊紙業(株)製フジロン紙１７ｇ／ＰＥ＃１５）を６００×８９０（２４ｃｍ×２４ｃｍにカット）にして使用する。【００１６】
このような特徴を有する紙をシート台紙３として使用したので、本実施例１に係る金箔フェイスパックマスクは、弱粘性接着剤を塗布・吸着させるような特別の作業工程を要することがないにもかかわらず、２４Ｋの金箔（箔厚およそ０．１〜０．２μｍ）との間で極めて優れた微粘着性を有し、また、クッション性を有するので、本実施例１に係る金箔フェイスパックマスクの移送時には、金箔２が剥がれたり、シート台紙３上で動いたりすることなく、また、金箔２をシート台紙３から引きはがす際には、離脱性が良好で、さらには、良好にシート台紙３から外れて、引きはがされた金箔２に皺等を引き起こすことなく、顔面に移送することができる金箔フェイスパックマスクとすることができることとなった。【００１７】
次に、本実施例１に係る金箔フェイスパックマスクの使用方法について説明する。
図２は、本実施例１に係る金箔フェイスパックマスク１を使用の概略を示す図であり、符号１、２および３は、本実施例１に係る金箔フェイスパックマスク１であり、金箔２，シート台紙３である。図２に示すように、まず、最初に、フェイスパックを実施する人の顔面に化粧水や美容液等を塗布しておき、その上に本実施例１に係る金箔フェイスパックマスク１をシート台紙３と共に金箔２面を顔面に向け、前記金箔フェイスパックマスク１を人の顔面の目・口・鼻等の位置に沿って顔面にあてて軽く押し貼りをする。そうすると、そのわずかな押圧と顔面を覆っている化粧水や美容液等の粘性により、金箔２部分が顔面に吸着される。【００１８】
図３は、本実施例１に係る金箔フェイスパックマスク１が人の顔面に付着された状態を示す図であり、シート台紙３と顔面の間には金箔２が吸着されている。
なお、前述するように、顔面の前髪の生え際等金箔２が付着されてはいけない領域には、金箔２を存在させないので、その領域を除いた顔面全体に均一に金箔２が付着される。その後、金箔２が顔面に張られた状態を確認しつつ前記シート台紙３のみ顔面から剥がす。【００１９】
図４は、前記シート台紙３を顔面から剥がす状態を示す図であり、前記シート台紙３の前記引き剥がし部８を摘んで、この部分からシート台紙３を顔面から引き剥がす。そうすると、顔面には、金箔２のみが吸着されたまま残ることとなる。
その後、しばらくそのままにおくことによって、金箔２によりフェイスパッキングが実施され、所定時間のフェイスパッキングの終了後、美容液・洗顔液等で拭き取る。【００２０】
なお、本実施例１に係る金箔フェイスパックマスク１は、顔面との吸着性（フィッテング性）が良いので、金箔２を顔面に張ったままその上からさらに美容液等を塗ってマッサージングしても良し、また、美容液等がない状態でそのままの状態で顔面をマッサージングしても良い。
さらには、美容液・洗顔液等で顔面の金箔２を大まかに拭き取った後に、金箔２の残り屑を美容液やローション等で顔面に叩き込んで、皮膚内に金箔２をしみこませるようにしても良い。【００２１】
本実施例１に係る金箔フェイスパックマスクは、このような極めて優れた金箔と台紙との総合融和関係ゆえに、台紙からの離脱性が良好で、その結果、顔に金箔マスクを載せやすく、さらには、良好に台紙から外れる際にも、皺等を引き起こすことなくフィッテング良好状態のまま顔に載せることができ、また、この結果、金箔を顔に張った（載せた）状態で美容液を含ませた不織布シートマスクを金箔の上に載せることもでき、上記良好な顔とのフィッティング性ゆえに、一旦載せた不織布シートマスクを張り直すことができ、その不織布シートマスクの張り直しの際にも金箔が顔から剥がれて不織布シートマスクに付着するというようなことはない。【００２２】
（実施例２〜５）
次に、上記実施例１に対して、ラミネート化繊紙の紙厚を様々に変更して、金属箔の剥離容易性、顔面に対するフィット性、シート全体に対する取扱容易性、同柔軟性、同クッション性、同引っ張り強度、フェイスデザインの汎用性等を実施例２ないし５として検討して見た。
ここで、上記実施例１が、紙厚として１７ｇ／ＰＥ＃１５のものを用いたのに対して、実施例２として紙厚を２０ｇ／ＰＥ＃１５のものを、実施例３として、同２５ｇ／ＰＥ＃１５のものを、実施例４として、同３０ｇ／ＰＥ＃１５のものを、実施例５として、３５ｇ／ＰＥ＃１５のもののそれぞれについて、上記を検討した。検討結果を表１として示す。【００２３】
【表１】
0005551607.tif 000002
【００２４】
上記表１の検討結果から知りうるように、実施例１として検討したラミネート化繊紙（紙厚：１７ｇ／ＰＥ＃１５）のものが総合評価として優れていることが知り得た。【００２５】
（比較例）
また、従来例との比較のため、上記実施例１に対して、上記実用新案登録第３１３９１４０号公報開示の実施品を比較例として、上記の各性能を比較検討してみた。なお、比較例で使用される紙質や紙厚は不明であるので、単に「弱粘着性接着料塗布台紙」とした。【００２６】
【表２】
0005551607.tif 000003
【００２７】
上記表２の検討結果からも知りうるように、比較例に対しても、その金属箔の剥離容易性、顔面に対するフィット性、シート全体に対する取扱容易性は、上記実施例１とは劣るものであり、クッション性や汎用性ではいずれの実施例にも及ぶものではなかったが、総合評価としては、上記実施例４ないし実施例５に相当する程度のものであると評価した。【００２８】
（実施例６）
その後、本願発明者は、上記実施例１〜５についても鋭意研究を重ね、シート台紙３から金箔１２を人の顔等に転移する際に、さらに、剥がれやすく、金箔１２に雛や破れの生じにくい実施例６に係る金箔フェイスパックマスク１１を案出するに至った。【００２９】
すなわち、本実施例６に係る金箔フェイスパックマスク１１では、実施例１〜５で使用されるシート台紙３に替え、金箔２が接する面の全面に凹部１０を開けたシート台紙１３を用いることとした。具体的には、化繊紙にポリウレタンを加えた厚さ２０μｍ程度（２０ｇ／m2）のラミネート化繊紙の表面（金箔１２が接する面）に５ｍｍ程度の間隔で直径１ｍｍの凹部１０を設けたシート台紙１３を用いることとした。該凹部１０は、化繊紙にポリエチレンを加えた厚さ２０μｍ程度（２０ｇ／m2）のラミネート化繊紙を一方に５ｍｍ程度の間隔で直径１ｍｍの突起を有するローラａと他方に突起のないローラｂとの間に引き込んでこれらのローラａ、ｂの間に所定の押圧力を加えて押圧して前記シート台紙１３を形成するものであり、前記ローラａ、ｂの間で押圧される結果、該シート台紙１３の表面に５ｍｍ程度の適宜の間隔で直径１ｍｍの円形面積を有する凹部１０が形成されているものである。本実施例６に係る前記凹部１０の深さは、前記シート台紙１３の紙面に傾斜させた周囲の光を反射させたところ認識できる程度の深さを有する凹部１０である。【００３０】
図５（Ａ）は、人間の顔型を打ち抜いたシート台紙１３に周囲の光を表面に反射させて，その反射によって認識できる前記凹部１０の概略を示す図であり、前記人間の顔型に打ち抜いたシート台紙１３に斜光を与え、その表面の反射を偏光フィルタ（Marumi DHG サーキュラーP.L.D）を通して偏光された反射光を近接撮影（Canon EOS Kiss Digital, Canon EF28-135mm使用）した写真をトレースすることにより図面化したものであり、前記凹部１０の配置状況の概略を示す図である（もし、審査において、必要ならば、この基となる写真を提出する用意がある。）。
図５（Ａ）において、符号４〜７は、実施例１〜５で使用した符号と同じ符号を用い、符号４は、前述の鼻切り込み部、５は、同フィッティング切り込み、６は、同目くり抜き部、７は、同口くり抜き部である。さらに、符号１０は、凹部、同１３は、シート台紙である。【００３１】
また、図５（Ｂ）は、前記シート台紙１３に一つの凹部１０が形成されている状態を示す概略図である。凹部１０の深さは、実測してはいないが、前記シート台紙１３の紙面に傾斜させた周囲の光を反射させたところ認識できる程度の深さを有する。
当該凹部１０は、例えば、所定の紙漉き後に、有孔機（パーフォレーター）と称する機器により、シート台紙１３上のポリウレタン素材等に加熱したホットニードルを当ててニードル部分を溶かし、連続的に等間隔で開孔することにより形成される。穴あけ操作は、基本的には、ニードルの温度調整、穴の深さをセットするだけで、有孔幅０〜２０００ｍｍ、針深度０〜８ｍｍ程度の仕様であれば、２００ｍ／分程度で容易に貫通または凹部状の穴あけが可能というものである。【００３２】
さらに、当該シート台紙１３を使用して金箔フェイスパックマスク１１を製作するには、表面に当該凹部１０が形成された２３ｃｍ×２３ｃｍ程度の大きさの前記シート台紙１３に所定厚（例えば、０．１〜０．２μｍ）で、所定大(例えば、０．１〜０．２μｍ・１８ｃｍ×１８ｃｍ)の金箔１２を載置し、当該金箔と共にシート台紙１３を人の顔型に打ち抜き、その結果形成された状態を本実施例６に係る金箔フェイスパックマスク１１とする。すなわち、本実施例６に係る金箔フェイスパック１１は、予め０．１〜０．２μｍ厚さで、１８ｃｍ四方程度の金箔１２を２５ｃｍ×２５ｃｍの当該シート台紙１３上に載置し、当該シート台紙１３と前記金箔１２と共に直径２２ｃｍの円形で、その円形内部に前記人間の顔面サイズに対応した顔面の目・口位置に前記目くり抜き部６、前記口くり抜き部７の打ち抜き穴、及び鼻位置に鼻形状の前記鼻切り込み部４及び前記フィッティング切り込み５を前記トムソン刃等を用いて打ち抜き形成し、製作される。【００３３】
図６は、このようにして製作された本実施例６に係る金箔フェイスパックマスク１１の概略を示す図である。図６において、符号６は、前記目くり抜き部、７は、前記口くり抜き部、４は、前記鼻切り込み部、５は、前記フィッティング切り込み、１１は，本実施例６に係る金箔フェイスパックマスクである。なお、前記シート台紙１３上の凹部１０は、図６では省略して描いてある。
前記シート台紙１３上に当該シート台紙１３と共に人の顔型に打ち抜きされた金箔フェイスパックマスク１１が完成すると、金箔１２側に別途のあかうつし紙を添えて、しかる後、これを箱詰めして、金箔フェイスパックマスク製品とする。【００３４】
本実施例６に係る金箔フェイスパックマスク１１によれば、シート台紙１３の全面に凹部１０が形成されているので、シート台紙１３と金箔１２との問の接着面積が少なくなり、シート台紙３から金箔１２を引き剥がす際には、優れて引き剥がしやすくなる。【００３５】
なお、本実施例６に係る金箔フェイスパックマスク１１においては、シート台紙１３の表面(金箔１２と接する面）に所定間隔・所定径の円形凹部１０を形成するようにしたが、これは、表面が円形の凹部に限るものではなく、金箔１２がシート台紙１３から剥がれ易くなる形状であれば、方形凹部や三角形・楕円形の凹部の凹形状であって良い。また、凹部ではなくても、金箔１２がシート台紙１３から剥がれ易くなるものであれば、所定の径面積を有する凸部を形成し、当該凸部表面が金箔１２に接するように形成されても良いものである。【００３６】
（実施例７）
次に、本実施例７に係る金箔フェイスパックマスク２１について説明する。本実施例７に係る金箔フェイスパックマスク２１は、実施例１〜５のシート台紙３や実施例６のシート台紙１３に替え、表面（金箔２２の接する面）に所定の大きさのパンチ穴２０を開けたシート台紙２３を用いることとした。すなわち、シート台紙２３として、前記２０μｍ厚のラミネート化繊紙からなるシート台紙２３を用い、その全面に３ｍｍ程度の間隔で直径２ｍｍのパンチ穴２０を明けたものである。【００３７】
図７は、本実施例７に係る金箔フェイスパックマスク２１に使用する前記パンチ穴２０を３ｍｍ間隔で全面に明けたシート台紙２３の概略を示す図であり、実施例６に使用したシート台紙１３の場合と同様に、同シート台紙２３を近接撮影して写真に撮り、これをトレースしたものである。
本実施例７に係る金箔フェイスパックマスク２１では、上述するように、前記シート台紙２３として、全面に直径２ｍｍのパンチ穴２０を３ｍｍ間隔で適宜均一に明けたものを使用した。【００３８】
なお、当該パンチ穴２３の断面穴形状に関しては、本実施例７においては、図８（Ａ）に示すような前記シート台紙２３の表面(金箔２２に接する面)から裏面に渡って同径で貫通する直穴断面形状のパンチ穴２３としたが、これは、図８（Ｂ）に示すようなシート台紙２３の表面(金箔２２に接する面)の径が大きく、裏面に行くにしたがって小口径となる断面円錐台形状の穴形状や、同図８（Ｃ）に示すようなシート台紙２３の表面(金箔２２に接する面)の径が大きく、裏面に行くにしたがって段階的に小口径となる同心円筒形状の断面穴形状を有するパンチ穴２３であっても良いものである。【００３９】
なお、図８（Ａ）（Ｂ）（Ｃ）は、本実施例７に係る金箔フェイスパックマスク２１に使用するシート台紙２３の全面に明けられたパンチ穴２３の断面形状の変形例を示す図であり、図８（Ａ）は、直穴断面形状のパンチ穴２３を、図８（Ｂ）は、円錐台断面形状のパンチ穴２０を、図８（Ｃ）は、同心円筒状の断面穴形状を有するパンチ穴２３の概略を示すものである。【００４０】
さらに、図９は、本実施例７に係る金箔フェイスパックマスク２１に使用されるパンチ穴２０（図９では省略）が明けられたシート台紙２３に方形の厚さ０．１〜０．２μｍの金箔２を載置し、当該シート台紙２３と共に所定の人の顔型に打ち抜いた状態を示す図である。すなわち、本実施例７に係る金箔フェイスパック２１を製作するには、予め０．１〜０．２μｍ厚さで１８ｃｍ×１８ｃｍの金箔２を２５ｃｍ×２５ｃｍ程度の大きさの前記シート台紙２３上に載置し、当該シート台紙２３と共に人間の顔面サイズで、かつ、人問の顔面サイズに対応した顔面の目・口位置に目くり抜き部６の打ち抜き穴、口くり抜き部７の切り抜き穴、鼻位置に鼻形状の切り込み４及びフィッティング切り込み５を打ち抜き形成する。その後、金箔２２側にあかうつし紙等を介して所定のパッケイジングの後、本実施例７に係る金箔フェイスパックマスク製品とする。【００４１】
本実施例７に係る金箔フェイスパックマスク２１は、前記シート台紙２３の全面にパンチ穴２０が開口しているので、シート台紙２３と金箔２２との問の接着面積が少なくなり、シート台紙２３から金箔２２を引き剥がす際には、優れて引き剥がしやすくなる。【００４２】
また、例えば、顔に金箔２を載置した後に、図１０に示すように、ドライヤー１４を使用してシート台紙２３の裏面に風を送ることにより、前記パンチ穴２０と金箔２の問に空気層を作り、金箔２を一層剥がしやすくすることができる。
図１０は、顔に載置された金箔２及びシート台紙２３の全面に開口したパンチ穴２０に対し、ドライヤー１４等を用いて空気を送り、シート台紙２３を金箔２から剥がしやすくする状態を示す図である。
【産業上の利用可能性】
【００４３】
本発明に係る金箔フェイスパックマスクは、高級感のあるコスメティック用品としての利用される。
【図１】
0005551607.tif 000004
【図２】
0005551607.tif 000005
【図３】
0005551607.tif 000006
【図４】
0005551607.tif 000007
【図５】
0005551607.tif 000008
【図６】
0005551607.tif 000009
【図７】
0005551607.tif 000010
【図８】
0005551607.tif 000011
【図９】
0005551607.tif 000012
【図１０】
0005551607.tif 000013